(57)【要約】衣服（１）、特に、衣服（１）の着用者の体の一部を覆う織物基材（２）を含むスポーツ用衣服であって、織物基材（２）の少なくとも一部分は少なくとも２つの異なる相変化材料（３、４）によって被覆され、２７℃〜２９℃の相転移温度を有する第１の相変化材料（３）が配置され、３５℃〜３７℃の相転移温度を有する第２の相変化材料（４）が配置され、相変化材料（３、４）の両方共は、少なくとも１つの熱変色性染料と熱的に接触している、衣服（１）に関する。そうすることによって、視覚的に制御できる、スポーツ活動中の改善された温度調節が得られる。【選択図】図３
2020517838.tif 000002
【特許請求の範囲】
【請求項１】
衣服（１）、特に、前記衣服（１）の着用者の体の一部を覆う織物基材（２）を含むスポーツ用衣服であって、
前記織物基材（２）の少なくとも一部分は少なくとも２つの異なる相変化材料（３、４）によって被覆され、２７℃〜２９℃の相転移温度を有する第１の相変化材料（３）が配置され、３５℃〜３７℃の相転移温度を有する第２の相変化材料（４）が配置され、前記相変化材料（３、４）の両方共は、少なくとも１つの熱変色性染料と熱的に接触している
ことを特徴とする衣服。
【請求項２】
前記相変化材料（３、４）はマイクロカプセルに入っている
請求項１に記載の衣服。
【請求項３】
前記熱変色性染料は、前記第１の相変化材料（３）および前記第２の相変化材料（４）と熱的に接触する
請求項１または２に記載の衣服。
【請求項４】
第１の熱変色性染料は前記第１の相変化材料（３）と熱的に接触し、前記第１の熱変色性染料と異なる第２の熱変色性染料は、前記第２の相変化材料（４）と熱的に接触する
請求項１または２に記載の衣服。
【請求項５】
前記熱変色性染料は前記第１の相変化材料（３）および／または前記第２の相変化材料（４）と混合される
請求項１ないし４のいずれかに記載の衣服。
【請求項６】
前記熱変色性染料は前記第１の相変化材料（３）および／または前記第２の相変化材料（４）上に層として施される
請求項１ないし４のいずれかに記載の衣服。
【請求項７】
前記熱変色性染料は前記織物基材（２）の１つの表面上に施され、かつ、前記第１の相変化材料（３）および／または前記第２の相変化材料（４）は前記織物基材（２）のもう１つの反対側の表面上に施される
請求項１ないし４のいずれかに記載の衣服。
【請求項８】
前記第１の相変化材料（３）および前記第２の相変化材料（４）は、前記織物基材（２）の同じ側に配置される
請求項１ないし７のいずれかに記載の衣服。
【請求項９】
前記第１の相変化材料（３）および前記第２の相変化材料（４）は前記織物基材（２）上に層として配置され、前記層は重なり合っていない
請求項８に記載の衣服。
【請求項１０】
少なくとも、前記織物基材（２）の一部の領域において、前記第１の相変化材料（３）および前記第２の相変化材料（４）の前記層は、前記領域における前記織物基材（２）を実質的に完全に覆う補完部位を形成する
請求項９に記載の衣服。
【請求項１１】
前記第１の相変化材料（３）および前記第２の相変化材料（４）は、前記衣服（１）を本来の目的で使用中に、前記着用者の、橈骨動脈（５）、背部（６）、上腕動脈（７）、および／または膝窩動脈（８）を覆うように、前記織物基材（２）のある領域に配置される
請求項１ないし１０のいずれかに記載の衣服。
【請求項１２】
前記織物基材（２）は、合成繊維、特に、ポリエステル、ポリアミド、またはエラスタンを含む
請求項１ないし１１のいずれかに記載の衣服。
【請求項１３】
前記織物基材（２）は、天然繊維、特に綿を含む
請求項１ないし１１のいずれかに記載の衣服。
【請求項１４】
前記第１の相変化材料（３）および前記第２の相変化材料（４）は、印刷プロセスによって前記織物基板（２）の表面上に施されている
請求項１ないし１３のいずれかに記載の衣服。
【請求項１５】
前記第１の相変化材料（３）および前記第２の相変化材料（４）は、２つ以上の層で前記表面上に施されている
請求項１４に記載の衣服。
【発明の詳細な説明】
【技術分野】
【０００１】
本発明は、衣服、特に、衣服の着用者の体の一部を覆う織物基材を含むスポーツ用衣服に関する。
【背景技術】
【０００２】
衣服は通常、着用者の体を所望の温度に保つために使用される。身体運動中、体温はある特定の範囲内で大きく変化し、図１に実例が挙げられている。ここで、身体トレーニングの期間の、運動選手の体温の曲線が示される。体温に対する最適な快適帯が図示される。ウォーミングアップ段階の間、体温は上昇する。この温度は、身体運動および対応する活動レベルの間高くなる。運動後、体温はクールダウン段階において降下する。
【先行技術文献】
【特許文献】
【０００３】
【特許文献１】オーストラリア特許第２０１４２０１８３９号
【発明の概要】
【発明が解決しようとする課題】
【０００４】
本発明の目的は、体温を述べられた快適帯の範囲内でより良好に安定させる、上記の種類の衣服を提案することである。また、本発明は、運動選手の体温状況のある特定の視覚モニタリングを可能にすることを目的とする。よって、容易なやり方で視覚的に制御できる、スポーツ活動中の改善された温度調節を目的とする。
【課題を解決するための手段】
【０００５】
本発明によるこの目的の解決策は、織物基材の少なくとも一部分が少なくとも２つの異なる相変化材料によって被覆され、２７℃〜２９℃の相転移温度を有する第１の相変化材料が配置され、３５℃〜３７℃の相転移温度を有する第２の相変化材料が配置され、この相変化材料の両方共が、少なくとも１つの熱変色性染料と熱的に接触していることを特徴とする。
【０００６】
相変化材料は好ましくは、マイクロカプセルに入っている。
【０００７】
それによって、同熱変色性染料は、第１の相変化材料および第２の相変化材料と熱的に接触する。代替的には、第１の熱変色性染料は第１の相変化材料と熱的に接触し、第１の熱変色性染料と異なる第２の熱変色性染料は、第２の相変化材料と熱的に接触する。
【０００８】
熱変色性染料は第１の相変化材料および／または第２の相変化材料と混合可能である。代替的には、熱変色性染料は第１の相変化材料および／または第２の相変化材料上に層として施され得る。さらに代替的な概念によって、熱変色性染料は織物基材の１つの表面上に施され、かつ、第１の相変化材料および／または第２の相変化材料は織物基材のもう１つの反対側の表面上に施される。
【０００９】
第１の相変化材料および第２の相変化材料は、好ましくは、織物基材の同じ側に配置される。この場合、第１の相変化材料および第２の相変化材料は、織物基材上に層として配置可能であり、該層は重なり合っていない。本発明の好ましい実施形態では、少なくとも、織物基材の一部の領域において、第１の相変化材料および第２の相変化材料の層は、該領域における織物基材を実質的に完全に覆う補完部位を形成することが提案される。
【００１０】
代替策として、第１の相変化材料を織物基材の１つの側に配置し、かつ第２の相変化材料を織物基材のもう１つの側に配置することも可能である。上記のような相変化材料の補完的配置も、この場合、それに応じて提供可能である。
【００１１】
第１の相変化材料および第２の相変化材料は、衣服を本来の目的で使用中に、着用者の、橈骨動脈、背部、上腕動脈、および／または膝窩動脈を覆うように、織物基材のある領域に配置可能である。
【００１２】
織物基材は、合成繊維、特に、ポリエステル、ポリアミド、またはエラスタンを含むことができる。また、織物基材は、天然繊維、特に綿を含むことができる。
【００１３】
第１の相変化材料および第２の相変化材料は好ましくは、印刷プロセスによって織物基板の表面上に施されている。この場合、第１の相変化材料および第２の相変化材料が、２つ以上の層、例えば、３つの層で表面上に施されるようにすることができる。
【００１４】
よって、本発明は、少なくとも２つの具体的な種類の相変化材料の使用を提案しており、この場合、（好ましくは、相変化材料と混合される）熱変色性染料の使用によって、運動選手の体の温度状況の視覚的指示が可能になる。
【００１５】
相変化材料（ＰＣＭ）は、それ自体当技術分野では周知である。かかる材料は、ある特定の温度での溶融および凝固によって、ある特定のエネルギー量を蓄積しかつ放出することが可能である、高い融解熱を有する基材である。材料が固体から液体に変化する、およびその逆もまた同様に変化する時、熱は吸収されるまたは放出されるため、ＰＣＭは潜熱蓄熱要素として機能する。
【００１６】
ＰＣＭがその相を変化させる温度（すなわち、溶融温度）に達する時、ほぼ一定の温度で多量の熱を吸収する。ＰＣＭは、材料全てが液相に変わるまで、大幅な温度の上昇なく熱を吸収し続ける。液状材料の周囲温度が降下する時、ＰＣＭは凝固し、この蓄積された潜熱を放出する。
【００１７】
ＰＣＭは、基本的に、−５℃から＋１９０℃までの必要とされる温度範囲全てに対して利用可能であるため、ＰＣＭは、この組成に関して、上記の温度仕様を厳密に満たすように容易に構成可能である。それによって、最も一般的に使用されるＰＣＭは、含水塩、脂肪酸およびエステル、ならびに、さまざまなパラフィン（オクタデカンなど）である。
【００１８】
有機溶液の大部分が無水であるため、空気に触れる可能性があるが、塩系ＰＣＭ溶液全ては水分蒸発または取り込みを防止するためにカプセル化されなければならない。上記の好ましいマイクロカプセル化の場合、ＰＣＭは保護コーティングで配置される。
【００１９】
熱変色性染料も当技術分野では周知である。一般に、サーモクロミズムは、温度の変化により色を変化させる基材の特性である。熱変色性染料（熱変色性インキとも呼ばれる）は、熱にさらされることによって色を一時的に変化させる温度感受性化合物であり、液晶およびロイコ染料の形態で利用可能である。述べた材料に関する詳細を記載している特許文献１を明示的に参照する。
【００２０】
よって、提案された概念によって、相変化材料、すなわち、温度が上がる時に熱を吸収し、このエネルギーを一時的に蓄積し、温度が下がる時該エネルギーを熱として放出する化学薬剤を含む衣料品の使用によって、運動中の運動選手の体温を温度調節する方法が提供される。これらの材料は、温度変化に反応することが可能なインキ、すなわち、熱変色性染料と組み合わせて使用される。
【００２１】
温度調節のために、（少なくとも）２つの異なるタイプのマイクロカプセル化相変化材料が使用され、このうち、第１のタイプは好ましくは２８℃で相転移を経験し、第２のタイプは好ましくは３６℃で相転移を経験する。上記の相変化は、追加の熱変色性染料（熱変色性インキ）の使用によって視覚化され、この染料は、好ましくは、２８℃〜３６℃の温度で体と接触する時、透明になる。
【００２２】
２つの相転移温度の使用の目的は、身体運動中に人間の体温の変動する性質を満足させることであり、２７℃〜２９℃（２８℃）の転移温度の第１のＰＣＭは、（平均的な典型的人肌温度である３３度からの温度降下により）肌と最初に接触する際に効果的であり、３５℃〜３７℃（３６℃）の転移温度の第２のＰＣＭは、スポーツ活動中に使用者の体温が上昇する際に効果的になる。
【００２３】
以下のやり方で、ＰＣＭを配置するまたは施すことが好ましい。
【００２４】
スクリーン印刷は、体上の重要な温度調節点（パルス点）が、温度が上がる時に熱を吸収し、このエネルギーを一時的に蓄積し、温度が下がる時に該エネルギーを熱として放出する相変化材料の容量によって直接影響されるように、衣服の織物基材上に置かれることになる。
【００２５】
これらの重要な点は、橈骨動脈、側頭動脈、上腕動脈、および膝窩動脈上に（この血管のさらなる表在性により、およびＰＣＭの効果を使用者に対してより顕著にかつ効果的にするために）位置付け可能である。背部も該当するが、これは、神経受容体が豊富な一帯であるため、ＰＣＭの効果が最大化されるからである。
【００２６】
述べられた衣服の製造方法に関して、以下の仕様が与えられるものとする。熱変色性染料と組み合わせた温度調節剤、すなわちＰＣＭは、ポリエステル、ポリアミド、またはエラスタンなどの合成繊維の組み合わせ、または、綿およびポリエステル、または綿およびエラスタンなどの、天然繊維および合成繊維の組み合わせから作られる織物基材上に印刷されることになる。
【００２７】
２つの異なるＰＣＭタイプは、それぞれのＰＣＭが異なる色で着色されるように同じ図形の異なる層として施される。印刷は、潜熱容量とＰＣＭ材料との間、および織物基材ドレープと手触りとの間の理想的な関係を保証するように、ＰＣＭに加えた熱変色性染料の印刷の３つまでの重ねた層で構成可能である。
【００２８】
上述した概念の種々の変形は対象とすることができる。
【００２９】
一般に、２つの異なるタイプのＰＣＭはそれぞれ、異なる色の熱変色性染料と混合されることになる。また、両方のＰＣＭは、同じ熱変色性染料と混合されるが、異なる濃度の上記熱変色性染料をそれぞれのＰＣＭに施すことで、同じ色の異なる色調を実現することが可能である。
【００３０】
２つの別個のＰＣＭは、（上記のように、好ましくは、補完的配置で）基本的にそれぞれ並んで配置される。よって、１つのＰＣＭは、もう１つのＰＣＭを施す時に残っている間隙を順応させてまたは埋めて、最終的に、２つのＰＣＭが並んで補完するように置かれるようになる。
【００３１】
ＰＣＭと熱変色性染料とを混合させた２つの異なる層を、衣服の内側に施すことが可能であるため、着用者の肌に面する。しかしながら、該材料が衣服の外側に施されることは除外されない。
【００３２】
さらなる代替策によって、２つの異なるタイプのＰＣＭが（着用者の肌に面する）衣服の内側に施されること、および熱変色性染料が衣服の外側に層として施されることが提案される。
【００３３】
図面において、本発明の実施形態が示される。
【図面の簡単な説明】
【００３４】
【図１】身体トレーニング中の運動選手の身体活動の概略的な曲線を示す説明図
【図２】身体トレーニング中に具体的な温度調節を受ける運動選手の体の該当する場所を示す説明図
【図３】本発明による、衣料品、すなわち、スポーツウェアの上部および下部を示す説明図
【図４ａ】織物基材上に第１の相変化材料を施すパターンを示す説明図
【図４ｂ】織物基材上に第２の相変化材料を施すパターンを示す説明図
【図４ｃ】織物基材上への図４ａおよび図４ｂによる両方のパターンの重なった状態を示す説明図
【発明を実施するための形態】
【００３５】
図１に関連した上記の見解を参照する。図２において、スポーツ用衣服の着用者の身体における具体的に該当する場所が好ましくは効率的な温度調節を必要とすることを見ることができる。
【００３６】
具体的に該当するのは、橈骨動脈５、背部６、上腕動脈７、および膝窩動脈８である。
【００３７】
他の該当する場所は、大腿動脈９、後脛骨動脈１０、足背動脈１１、頸動脈１２、顔面動脈１３、および側頭動脈１４とすることができる。
【００３８】
本発明による改善された温度調節は、図３において示される例示のように、衣服１、特にスポーツ用衣服で行われる。衣服の上部は、図３の左領域における正面視で示されている。対応する後方視は、この図の右領域に図示されている。衣服１の下部（ズボン）は、図３の右下領域における後方視で示されている。
【００３９】
上記の領域の一部では、すなわち、橈骨動脈５の部位、背部６、上腕動脈７の部位、および膝窩動脈８の部位において（全ての領域は衣服１が意図された方法で使用者によって着用される時に理解されるものである）、衣服の織物基材２は、上記の特別に温度調節する相変化材料３および４が与えられ、これら相変化材料３および４は、この場合は、２つの別個の熱変色性染料（熱変色性インキ）と混合される。
【００４０】
より具体的には、織物基材２の述べられた部分は、２つの異なる相変化材料３および４による印刷プロセスによって被覆される。
【００４１】
第１の相変化材料３は、２７℃〜２９℃、好ましくは２８℃の相転移温度を有し、第２の相変化材料４は、３５℃〜３７℃、好ましくは３６℃の相転移温度を有する。
【００４２】
さらに、２つの相変化材料３、４に、対応する熱変色性染料が混合されて、身体活動中に衣服１の着用者の熱状況を観察することが可能になる。
【００４３】
２つの相変化材料の配置が述べられた動脈に位置するため、効率的な冷却効果が得られ得る。
【００４４】
２つの相変化材料の好ましい詳細な配置は図４に図示される。
【００４５】
図４ａでは、第１の相変化材料３が衣服１の織物基材２の表面上に印刷されるパターンが示されている。ここに、背部６の好ましいパターンが示されており、一般に、他の述べられた領域にも同じことが当てはまる。
【００４６】
見ることができるように、パターンは、いくつかのひし形部位、および矢じり形状の他の部位を創り出す。よって、第１の相変化材料３によって覆われる部位の間のある特定の部位は空いたままである。
【００４７】
さらにまた、第２の相変化材料４から成るパターンは、図４ｂに図示されるように施される。基本的に、このパターンは図４ａのパターンを補完するものである。
【００４８】
第２の相変化材料４のパターンを施した（印刷）後、最終パターンが図４ｃに示されるように与えられる。ここで見ることができるように、織物基材２は、ここで、少なくとも一部の領域において、２つの相変化材料３および４によって完全に覆われ、この２つの材料３、４は重なり合っていないが、補完的形状を形成する。わずかな縁のみが覆われないままになり得る（相変化材料３および４の部位の間の白の間隙を参照）。
【００４９】
例えば、図４ｃによる、示される部位は、背部６において、幅が約２５０ｍｍ〜３５０ｍｍ、高さが４００ｍｍ〜５５０ｍｍの部位を覆うことができる。
【００５０】
使用中、図１の意味において、最初に身体活動の低強度でのウォーミングアップ中が示され、衣服は最初、おおよそ室温（例えば、２０℃）の温度を有する。適度な身体活動時に、温度は上昇する。ここで、第１の相変化材料は２８℃のその転移温度に達するため、冷却効果が得られる。
【００５１】
高い活動レベルでは、温度調節効果は、ここで、第２の相変化材料が３６℃のその転移温度に達するため、強まる。身体活動が減少する（クールダウン）と、このプロセスは逆に行われる。
【符号の説明】
【００５２】
１  衣服（スポーツ用衣服）
２  織物基材
３  第１の相変化材料（ＰＣＭ、２８℃）
４  第２の相変化材料（ＰＣＭ、３６℃）
５  橈骨動脈
６  背部
７  上腕動脈
８  膝窩動脈
９  大腿動脈
１０  後脛骨動脈
１１  足背動脈
１２  頸動脈
１３  顔面動脈
１４  側頭動脈
【図１】
2020517838.tif 000003
【図２】
2020517838.tif 000004
【図３】
2020517838.tif 000005
【図４ａ】
2020517838.tif 000006
【図４ｂ】
2020517838.tif 000007
【図４ｃ】
2020517838.tif 000008
【国際調査報告】
2020517838.tif 000009
2020517838.tif 000010